(57)【要約】  本発明は、試験体を収容するための、周囲に対して閉鎖可能な試験室を備えた試験チャンバモジュール（１６）、腐食性の液体を収容するための容器を備えたタンクモジュール（１２）、試験サイクルを実施するための制御部を備えた制御モジュール（１３）及び、試験室、容器及び制御部を少なくとも部分的に収容するためのハウジングアセンブリ（１７）を有する、気候試験器具（１５）及び気候試験器具、特に腐食試験器具などを形成するための気候試験器具キットに関するものであって、気候試験器具がフレームアセンブリを有し、その場合にフレームアセンブリが互いに離隔した平行なフレーム支持体とフレームプロフィールから形成されており、フレームプロフィールがフレーム支持体を互いに結合し、フレームプロフィールとフレーム支持体が、それぞれ試験室、容器及び制御部のための空間的に分離されたモジュール収容部を形成している。【選択図】図１
2019502128.tif 000002
【特許請求の範囲】
【請求項１】
試験体を収容するための、周囲に対して閉鎖可能な試験室（３６）を備えた試験チャンバモジュール（１１、１６）、腐食性の液体を収容するための容器（３７）を備えたタンクモジュール（１２）、試験サイクルを実施するための制御部（３８）を備えた制御モジュール（１３）、及び前記試験室、前記容器及び前記制御部を少なくとも部分的に収容するためのハウジングアセンブリ（１４、１７）を有する、気候試験器具（１０、１５）、特に腐食試験器具あるいは同種のものにおいて、
前記気候試験器具がフレームアセンブリ（１８）を有し、該フレームアセンブリが互いに隣接する平行なフレーム支持体（１９）とフレームプロフィール（２０）とから形成されており、前記フレームプロフィールが前記フレーム支持体を互いに結合し、前記フレームプロフィールと前記フレーム支持体が、それぞれ前記試験室、前記容器及び前記制御部のための空間的に分離されたモジュール収容部（３３、３４、３５）を形成している、ことを特徴とする気候試験器具。
【請求項２】
前記フレームアセンブリ（１８）が、前記試験室（３６）、前記容器（３７）、前記制御部（３８）及び／又は前記ハウジングアセンブリ（１４、１７）を保持固定する、ことを特徴とする請求項１に記載の気候試験器具。
【請求項３】
前記フレーム支持体（１９）が次のように、すなわち前記フレーム支持体が前記試験室（３６）、前記容器（３７）及び前記制御部（３８）を空間的に互いに分離するように、配置されている、ことを特徴とする請求項１又は２に記載の気候試験器具。
【請求項４】
前記フレーム支持体（１９）が、プラスチック材料から一体的に形成されている、ことを特徴とする請求項１から３のいずれか１項に記載の気候試験器具。
【請求項５】
前記フレーム支持体（１９）が発泡コアを有し、かつ／又はプラスチック材料が繊維強化されている、ことを特徴とする請求項４に記載の気候試験器具。
【請求項６】
前記フレーム支持体（１９）が、トラスとして形成されている、ことを特徴とする請求項１から５のいずれか１項に記載の気候試験器具。
【請求項７】
前記フレーム支持体（１９）が、垂直の支持体（２４、２５）と水平の支持体（２２、２３）から形成されている、ことを特徴とする請求項１から６のいずれか１項に記載の気候試験器具。
【請求項８】
前記支持体（２２、２３、２４、２５）内に通過開口部（３０）が形成されており、少なくとも１つの通過開口部内にフレームプロフィール（２０）が相補形状で挿入されている、ことを特徴とする請求項７に記載の気候試験器具。
【請求項９】
１つの支持体（２３）に脚突出部（２７）が形成されており、該脚突出部にそれぞれ、前記フレームアセンブリ（１８）を水平に方向づけするための調節装置が配置されている、ことを特徴とする請求項７又は８に記載の気候試験器具。
【請求項１０】
前記フレームプロフィール（２０）が、金属押し出しプロフィールである、ことを特徴とする請求項１から９のいずれか１項に記載の気候試験器具。
【請求項１１】
前記ハウジングアセンブリ（１４、１７）がハウジングプレート（３４、３５、３６、３７、３８、３９、４０、４１、４２、４３、４４、４５、４６、４７、４８、４９、５０）を有し、前記ハウジングプレートが前記フレーム支持体（１９）に固定されており、前記ハウジングプレートの寸法がモジュール収容部（３３、３４、３５）の寸法に適合されている、ことを特徴とする請求項１から１０のいずれか１項に記載の気候試験器具。
【請求項１２】
前記ハウジングプレート（３４、３５、３６、３７、３８、３９、４０、４１、４２、４３、４４、４５、４６、４７、４８、４９、５０）が、発泡コア（５１）を有している、ことを特徴とする請求項１１に記載の気候試験器具。
【請求項１３】
前記ハウジングプレート（３４、３５、３６、３７、３８、３９、４０、４１、４２、４３、４４、４５、４６、４７、４８、４９、５０）内に固定手段（５２）が相補形状で挿入されており、かつ
前記フレーム支持体（１９）に、前記固定手段のための固定収容部（５３）が形成されている、ことを特徴とする請求項１１又は１２に記載の気候試験器具。
【請求項１４】
前記試験室（３６）が、閉鎖可能な試験室蓋（５５）を有する槽（５４）又はチェストとして形成されている、ことを特徴とする請求項１から１３のいずれか１項に記載の気候試験器具。
【請求項１５】
前記槽（５４）又はチェストが支承突出部（５６）を有しており、前記支承突出部が前記フレームプロフィール（２０）上に支持されている、ことを特徴とする請求項１４に記載の気候試験器具。
【請求項１６】
前記容器（３７）がローラ（５７）を有し、前記容器が前記ローラによって土台上で走行可能である、ことを特徴とする請求項１から１５のいずれか１項に記載の気候試験器具。
【請求項１７】
前記制御モジュール（１３）が１つのフレーム支持体（１９）のみに固定されており、かつ垂直軸を中心に少なくとも分かれて旋回可能に形成されている、ことを特徴とする請求項１から１６のいずれか１項に記載の気候試験器具。
【請求項１８】
請求項１から１７のいずれか１項に記載の気候試験器具（１０、１５）を形成するための気候試験器具キットであって、試験室（３６）を備えた試験チャンバモジュール（１１、１６）、容器（３７）を備えたタンクモジュール（１２）、制御部を備えた制御モジュール（１３）、３つのフレーム支持体（１９）及び４つのフレームプロフィール（２０）を有し、前記フレーム支持体の長さが、前記試験室と前記容器とがそれぞれフレーム支持体の間に配置可能であるように、寸法設計されており、前記制御部が１つのフレーム支持体に配置可能である、気候試験器具キット。
【発明の詳細な説明】
【技術分野】
【０００１】
本発明は、気候試験器具及び気候試験器具、特に腐食試験器具などを形成するための気候試験器具キットであって、試験体を収容するための周囲に対して閉鎖可能な試験室を備えた試験チャンバモジュール、腐食性の液体を収容するための容器を備えたタンクモジュール、試験サイクルを実施するための制御部を備えた制御モジュール及び試験室、容器及び制御部を少なくとも部分的に収容するためのハウジングアセンブリを有するものに関する。
【背景技術】
【０００２】
この種の気候試験器具又は腐食試験チェストも、大体において、製品もしくは試験体の腐食試験のために利用される。その場合に試験体は、周囲に対して密に閉鎖可能な試験室内で腐食性の液体、たとえば塩水にさらされる。その場合に腐食性の液体は、スプレイミストの形状で試験体へ付着する。さらに試験室は、大体において加熱可能でもあるので、試験室内は空気温度と相対的な空気湿度に関して定められた気候条件を形成することができる。
【０００３】
腐食性の液体は、通常、気候試験器具の容器内にストックされ、試験サイクルの間、試験室内へ必要な量で給送される。試験室は流出部を有しており、それを介して濃縮されて滴る液体を試験室から導出することができる。さらに気候試験器具は、試験サイクルをあらかじめ定められたように実施するための制御部を有している。制御部は、場合によっては、電圧供給を備えた切り替えキャビネット、器具コンポーネントに応答し、かつセンサを読み出すための制御装置、データ処理する手段及び気候試験器具を手動で操作するための操作装置を有している。
【０００４】
既知の気候試験器具においては、試験室、容器及び制御部は、気候試験器具のハウジングの内部に配置されている。その場合にハウジング内の最大の空間を試験室が占め、その試験室は槽又はチェストの形式で試験室蓋によって閉鎖できるように形成されている。制御部もしくはそのコンポーネントは、試験室にできるだけ場所をとらないように配置することができる。また、容器は、試験室の形態に適合された、もしくは一体形成された形状を有している。たとえば容器は、試験室の側方及び下方においてこの試験室に密着することができる。それによって試験室と容器及び制御部のコンポーネントとの間にできるだけ短い導線路を形成することが可能である。たとえば制御部の個別コンポーネントはハウジング内部の、それぞれの個別コンポーネントに関連し、あるいは単純に自由な組み込み空間である、様々な箇所に配置することができる。それによって気候試験器具の特にコンパクトな構造を達成することができる。この種の気候試験器具は、様々な大きさで、もしくは種々の試験室大きさでも形成することができるので、常にそれぞれの大きさに適合された、個別コンポーネントの取り付けが必要となる。さらに、ハウジング、制御部及び場合によっては容器は、常に試験室大きさに適合されなければならない。したがって種々の大きさの気候試験器具の形成と取り付けは、煩雑である。
【発明の概要】
【発明が解決しようとする課題】
【０００５】
したがって本発明の課題は、気候試験器具のコスト的に好ましい形成を可能とする、気候試験器具及び気候試験器具キットを提案することである。
【課題を解決するための手段】
【０００６】
この課題は、請求項１の特徴を有する気候試験器具と請求項１８の特徴を有する気候試験器具キットによって解決される。
【０００７】
本発明に係る気候試験器具、特に腐食試験器具などは、試験体を収容するための、周囲に対して閉鎖可能な試験室を備えた試験チャンバモジュール、腐食性の液体を収容するための容器を備えたタンクモジュール、試験サイクルを実施するための制御部を備えた制御モジュール及び、試験室、容器及び制御部を少なくとも部分的に収容するためのハウジングアセンブリを有しており、その場合に気候試験器具がフレームアセンブリを有し、その場合にフレームアセンブリは、互いに対して離隔した平行なフレーム支持体とフレームプロフィールとから形成されており、その場合にフレームプロフィールがフレーム支持体を互いに結合し、その場合にフレームプロフィールとフレーム支持体は、それぞれ試験室、容器及び制御部のための空間的に分離されたモジュール収容部を形成している。
【０００８】
気候試験器具がフレームアセンブリを有することによって、試験室と制御部を互いに完全に分離してそれぞれ、フレームアセンブリによって形成されるフレームセクション内に配置することが、可能になる。フレームアセンブリは、フレーム支持体とフレームプロフィールからなり、その場合にフレーム支持体は気候試験器具の長手延び方向に対して横方向もしくは直交し、フレームプロフィールはこの長手延び方向に配置されている。フレームプロフィールがフレーム支持体を互いに結合し、かつそれらを互いに離隔させて、フレーム支持体の間に試験室、容器又は制御部を収容するためのフレームセクションもしくはモジュール収容部が形成される。これらのモジュール収容部を形成し、それに伴って試験室、容器及び制御部を空間的にできるだけ分離することによって、気候試験器具のモジュラー構造が得られ、それによって気候試験器具をより簡単かつコスト的により好ましく形成することができる。フレームアセンブリは、試験室、容器、制御部及び／又はハウジングアセンブリを保持固定する。すなわちその場合にフレームアセンブリによって、試験室、容器及び制御部の分離が可能になるだけでなく、フレームアセンブリは試験室、容器及び制御部並びにハウジングアセンブリを取り付けるためにも用いられる。すなわちたとえば、試験室はそのために形成されたモジュール収容部内へ挿入して取り付けることができ、その場合に試験室の荷重はフレームアセンブリを介して逃がすことができる。同時にフレームアセンブリは、ハウジングアセンブリのための取り付けベースとして用いることができる。したがってハウジングアセンブリは、フレームアセンブリを完全に覆うことができる。
【０００９】
フレーム支持体は、フレーム支持体が試験室、容器及び制御部を空間的に互いに分離するように、配置することができる。空間的な分離は、試験室、容器及び制御部をその大きさに関して互いに異なるように形成することができる実施形態において、気候試験器具のフレキシブルな形成を可能にする。すなわちたとえば、それぞれ構造の等しい容器と制御部をそれぞれ異なる大きさの試験室のために使用し、かつ互いに関係なく取り付けることが、可能である。気候試験器具の大きさも、フレームプロフィールの長さがそれぞれの試験室、容器あるいは制御部の大きさに従って形成されることにより、簡単に定めることができる。すなわちフレームアセンブリを形成するためには、フレーム支持体を試験室、容器及び制御部に適合された相対間隔で配置して、フレームプロフィールと結合することのみが必要である。その場合に特に、気候試験器具のすべての実施形態のために、同じフレーム支持体とフレームプロフィールが使用される。すなわち全体として、様々な大きさの気候試験器具のシリーズのために部品点数を著しく減少させることができる。
【００１０】
フレーム支持体がプラスチック材料から一体的に形成されていると、特に効果的である。その場合にフレーム支持体は、たとえば塩水のような、腐食性の液体に対して特に不感である。一体的な形成は、プラスチック材料のトランスファー成形（transfer molding, Spritzpressen）（ＲＴＭプロセス）によって特にコスト的に好ましく行うことができる。
【００１１】
フレーム支持体は発泡コアを有することもでき、かつ／又はプラスチック材料は繊維強化することができる。発泡コアは、ＰＵ発泡コアとすることができ、フレーム支持体を熱絶縁するために用いることができる。プラスチック材料の繊維強化によって、フレーム支持体は特に安定しており、かつ透かし細工で形成することができる。
【００１２】
すなわちフレーム支持体は、トラス（truss, Fachwerk）として形成することができる。したがってフレーム支持体は、多数のバーを有することができ、それらが互いに堅固に結合されている。それによって、フレーム支持体は特に安定しており、同時に比較的少ない重量で形成することができる。
【００１３】
フレーム支持体は、垂直の支持体と水平の支持体から形成することができる。その場合に垂直の支持体と水平の支持体は、矩形又は方形のフレームを形成することができる。その場合に、垂直の支持体と水平の支持体は横ステイによって結合することができるので、フレーム支持体はさらに安定して形成されている。
【００１４】
支持体内に通過開口部もしくは区画を形成することができ、その場合に少なくとも１つの通過開口部内にフレームプロフィールを相補形状で挿入することができる。好ましくは各フレーム支持体が少なくとも４つの通過開口部を有しており、それらの中へフレームプロフィールが挿入可能である。その場合に好ましくは、通過開口部の横断面はフレームプロフィールの横断面に適合されているので、フレームプロフィールは相補形状で通過開口部に挿通することができる。支持体は、さらに、多数の他の通過開口部もしくは区画を有することができ、それらの寸法はケーブル、チューブ及びその他の通路の挿通に適合されている。それによって、フレーム支持体を気候試験器具の内蔵の構成要素として、かつ取り付け補助として利用することが可能である。
【００１５】
支持体に脚突出部を形成することができ、その場合に脚突出部にそれぞれ、フレームアセンブリを水平に方向づけするための調節装置を配置することができる。脚突出部は、好ましくはフレーム支持体の下側に形成されているので、気候試験器具を土台上に据えることが容易になる。またその場合に、気候試験器具の全荷重をそれぞれの脚突出部を介して逃がすことができる。調節装置は、たとえば脚突出部の内部の挿入片とすることができ、その挿入片が螺合ねじによって脚突出部内へねじ込み、あるいは回して外すことができる。その場合に挿入片は、高さ調節可能な脚として用いることができる。すなわち気候試験器具を、たとえば凹凸のある、あるいは傾斜した土台上に水平に方向づけして据えることが可能である。気候試験器具の取り付けは、脚突出部によってさらに容易になる。というのは、まず脚を気候試験器具のハウジングの下方に取り付ける必要がないからである。
【００１６】
フレームプロフィールは、金属押し出しプロフィールとすることができる。たとえば、フレームプロフィールはアルミニウム押し出しプロフィールとすることができ、それは、ほぼ任意の横断面をもって必要な長さで安価に入手することができる。その場合に押し出しプロフィールの横断面は、横断面が実質的に方形又は矩形であって、その側面にねじヘッドなどを収容するための取り付け溝を有するように、形成することができる。その場合にフレームプロフィールは、螺合又は締めつけによってフレーム支持体と特に簡単に組み立てることができる。
【００１７】
ハウジングアセンブリは、ハウジングプレートを有することができ、それらのハウジングプレートはフレーム支持体に固定することができ、その場合にハウジングプレートの寸法はモジュール収容部の寸法に適合させることができる。すなわち、様々な大きさの気候試験器具のためにそれぞれ異なるハウジングを形成することは、もはや必要とされず、それぞれのモジュール収容部のために異なる大きさのハウジングプレートを形成すればよい。それによってまた、気候試験器具のハウジングもしくはハウジングアセンブリはモジュラー構造とされ、したがってより可変であり、かつコスト的により好ましく形成することができる。その場合に特に、組み立て又は修正目的のために、たとえば保守課題のために除去されなければならない、それぞれのハウジングプレートのみをモジュール収容部から除去することも、可能である。
【００１８】
好ましくは、ハウジングプレートは発泡コアを有することができる。特に気候試験器具のハウジングプレートは、試験チャンバを熱的に絶縁する発泡コアを有することができる。ハウジングプレートも、同様にトランスファー成形によって形成することができる。
【００１９】
ハウジングプレートをフレーム支持体に固定することは、ハウジングプレート内に固定手段が相補形状で挿入されている場合、及びフレーム支持体に固定手段のための固定収容部が形成されている場合に、特に容易である。ハウジングプレートを形成する場合に、固定手段は、たとえばハウジングプレートの型内へ簡単に挿入し、したがってハウジングプレート内に挿入することができる。固定手段は、継ぎ手又はボルト形状の突出部とすることができ、それが、フレーム支持体内の一致するように形成された１つもしくは複数の固定収容部内へ嵌入し、あるいはそれと係止することができる。その場合には、ハウジングプレートに固定手段を、たとえば螺合によって、特別に取り付けることは、不要である。その場合にハウジングプレートの外側面は特に平坦であり、したがって特に良好に清掃できるように形成することができる。
【００２０】
試験室は、閉鎖可能な試験室蓋を有する槽又はチェストとして形成することができる。その場合に試験室蓋は、ハウジングアセンブリの一部とすることができ、あるいは補足的に、試験室蓋の形状に適合されたハウジングプレートによって覆うこともできる。槽又はチェストは、プラスチック材料から形成することができ、その場合に槽又はチェスト上に試験室蓋を密閉するように載置することができる。その場合に槽又はチェストには、上側から試験体を充填することができ、その場合に槽又はチェストの下側には、腐食性の液体用の流出部を設けることができる。
【００２１】
槽又はチェストは、支承突出部を有することもでき、その支承突出部はフレームプロフィール上に載置することができる。すなわち、フレームプロフィールは、槽又はチェストの下方に延びるようにして、フレーム支持体に配置することができる。支承突出部は槽又はチェストに形成することができるので、槽又はチェストは直接フレーム支持体上に載置することができる。それによって槽又はチェストの取り付けが著しく容易になる。というのは、特別な固定手段あるいは槽又はチェストの荷重を逃がすための手段を使用する必要がないからである。
【００２２】
容器はローラを有することができ、その場合に容器はローラによって土台上で走行可能となることができる。たとえば容器は３つから４つのローラを有することができ、それらのローラによって気候試験器具内へ移動し、あるいはそこから出ることができる。その場合に腐食性の液体は、気候試験器具の外部で、もしくは気候試験器具の据え付け場所から離れた場所において、準備して容器内へ充填することができる。その場合には腐食性の液体を、たとえばキャニスターに入れて、気候試験器具へ特別に移送して、次に位置固定された容器を充填することは、もはや必要とされない。その場合に、容器のモジュール収容部は、フレームプロフィールを２つのフレーム支持体の間で切り抜いて、２つのフレーム支持体の間で容器を気候試験器具内へ挿入することができるように、形成することができる。
【００２３】
制御モジュールは、１つのフレーム支持体のみに固定して、垂直軸を中心に少なくとも分かれて旋回可能であるように、形成することができる。したがって制御モジュールもしくは制御部は、必ずしも２つのフレーム支持体の間に配置する必要はなく、制御モジュールを１つのフレーム支持体のみに固定すれば、充分である。制御部もしくは切り替えキャビネットへ容易に接近することを可能にするために、制御モジュールがフレーム支持体に旋回可能に固定されていると、効果的である。たとえば制御モジュール全体を継ぎ手によってフレーム支持体に固定することができるので、制御モジュールを引き開け、あるいは旋回させることにより制御部の開放が可能である。代替的に、たとえば制御モジュールの切り替えキャビネットをフレーム支持体又はフレームプロフィールに固定的に取り付けることにより、制御モジュールを部分的にのみ旋回できるように形成することができ、その場合に制御部の一部をフレームプロフィールに、もしくは切り替えキャビネットに旋回可能に形成することができる。すなわち制御部への接近の改良によって、取り付け及び保守が容易になる。場合によっては設けられる、制御部の操作装置の操作部材は、制御部の旋回可能な部分の上方に固定的に配置することができる。
【００２４】
本発明に係る気候試験器具を形成するための本発明に係る気候試験器具キットは、試験室を備えた試験チャンバモジュール、容器を備えたタンクモジュール、制御部を備えた制御モジュール、３つのフレーム支持体及び４つのフレームプロフィールを有しており、その場合にフレーム支持体の長さは、試験室と容器がそれぞれフレーム支持体の間に配置可能であるように、寸法設計されており、その場合に制御部は１つのフレーム支持体に配置可能である。
【００２５】
すなわち３つのフレーム支持体と４つのフレームプロフィールのみによって、任意の長さの気候試験器具を形成することが可能である。それぞれの長さへの適合は、横断面の等しい４つのフレームプロフィールの長さを単純に短くすることによって、行われる。本発明に係る気候試験器具キットの利点については、本発明に係る気候試験器具の利点の説明を参照することができる。
【００２６】
気候試験器具キットの他の実施形態は、装置請求項１に従属する下位請求項から明らかにされる。
【００２７】
以下、添付の図面を参照しながら気候試験器具の種々の実施形態を詳細に説明する。
【図面の簡単な説明】
【００２８】
【図１】気候試験器具の第１の実施形態を示す斜視図である。
【図２】気候試験器具の第２の実施形態を示す斜視図である。
【図３】図２の気候試験器具を示す上面図である。
【図４】図２の気候試験器具を示す正面図である。
【図５】図２の気候試験器具を右から示す側面図である。
【図６】図２の気候試験器具のフレームアセンブリを示す斜視図である。
【図７】図６のフレームアセンブリのフレーム支持体を示す側面図である。
【図８】フレーム支持体を示す正面図である。
【図９】図２の気候試験器具を示す横断面図である。
【図１０】図２の気候試験器具を示す垂直の縦断面図である。
【図１１】図２の気候試験器具を示す水平の縦断面図である。
【発明を実施するための形態】
【００２９】
図１は、試験チャンバモジュール１１、タンクモジュール１２及び制御モジュール１３を有する、気候試験器具１０の第１の実施形態を示している。ここには示されていない試験室が、気候試験器具のハウジングアセンブリ１４の下方に隠れている。図２は、試験チャンバモジュール１６とタンクモジュール１２及び制御モジュール１３を有する、気候試験器具１５の第２の実施形態を示している。ここでも、まずは図示されていない試験室が気候試験器具１５のハウジングアセンブリ１７の下方に隠れている。図１の気候試験器具とは異なり、気候試験器具１５においては、試験チャンバモジュール１６は比較的短く形成されており、その場合にタンクモジュール１２と制御モジュール１３は、実質的に同一である。
【００３０】
図３から１１をまとめて見るとわかるように、気候試験器具１５が種々の視点と表示で示されている。気候試験器具１５は、フレームアセンブリ１８を有しており、そのフレームアセンブリはそれぞれ一致するように形成されているフレーム支持体１９及び一致する横断面２１を備えたフレームプロフィール２０から形成されている。フレーム支持体１９は、繊維強化されたプラスチック材料からトランスファー成形によって一体的に形成されている。フレーム支持体１９は、上方の水平の支持体２２、下方の水平の支持体２３、前方の垂直の支持体２５及び後方の垂直の支持体２４を有している。ステイ２６が、上方の支持体２２と前方の垂直の支持体２５もしくは後方の垂直の支持体２４との結合を補強している。下方の水平の支持体２３には、脚突出部２７が形成されている。脚突出部２７内にそれぞれ、ここでは見ることのできない螺合ねじとナット２９とを有する調節部材２８が挿入されている。その場合にナット２９を回転させることにより、脚突出部２７内への、あるいはそこからの調節部材２８の並進運動がもたらされるので、フレームアセンブリ１８は土台上で水平に位置決めすることができる。
【００３１】
フレーム支持体１９は、さらに通過開口部３０を有しており、その通過開口部はフレームプロフィール２０の横断面２１に次のように、すなわちフレームプロフィール２０が通過開口部３０を通って移動することができ、同時にフレーム支持体１９によって相補形状で包囲されるように、適合されている。フレームプロフィール２０は長手溝３１を有しており、その長手溝内へ固定手段３２を挿入することができる。その場合にフレーム支持体１９は、固定手段３２によってフレームプロフィール１９と螺合することができる。フレーム支持体１９とフレームプロフィール２０は次のように、すなわちフレーム支持体１９が互いに離隔して、それによって試験チャンバモジュール１６の試験室３６用、タンクモジュール１２の容器３７用及び制御モジュール１３の制御部３８用の、空間的に分離されたモジュール収容部３３、３４、３５が形成されるように、互いに結合される。その場合に試験室３６と容器３７は、それぞれ複数のフレーム支持体１９の中間に位置するように配置されており、その場合に制御部３８は、１つのフレーム支持体１９のみに配置されている。
【００３２】
ハウジングアセンブリ１７は、多数のハウジングプレート３９から５０形成されており、それらのハウジングプレートは試験室３６、容器３７及び制御部３８を少なくとも部分的に覆っている。特にハウジングプレート３９から４２には発泡コア５１が形成されているので、試験室３６の付加的な絶縁が形成される。ハウジングプレート３９から５０は、フレーム支持体１９に固定されている。ここにハウジングプレート３９の例で示されるように、ハウジングプレート３９は固定ボルト５２を有しており、その固定ボルトはハウジングプレート３９内に挿入されている。フレーム支持体１９には、一致するように形成された固定収容部５３が形成されており、その中へ固定ボルト５２を差し込むことができる。すなわち簡単な取り付けと取り外しを可能にする、ハウジングプレート３９の単純な固定を形成することができる。
【００３３】
試験室３６は、槽５４によって形成されており、その槽が試験室蓋５５によって密に閉鎖されている。試験室蓋５５を有する試験室３６もしくは槽５４の内部で、図示されない腐食性の液体が同様に図示されていない試験体上に堆積する。槽５４は、プラスチック材料から形成されており、一体形成された脚５６を有し、その脚が直接２つのフレームプロフィール２０上に支持される。すなわち槽５４の特に簡単な取り付けが可能になる。
【００３４】
容器３７にはローラ５７が設けられているので、容器３７はここには図示されていない土台上で容易に移動させることができる。容器３７は、腐食性の液体をストックするために用いられる。容器３７をモジュール収容部３４内へ挿入することができるようにするために、１つのフレームプロフィール２０のモジュール収容部３４の領域内が切り欠かれ、もしくは中断して形成されている。容器３７の取り出しもしくは取り扱いは、ハウジングプレート４４と４５の開口部を通して行うことができる。
【００３５】
制御部３８は、気候試験器具１５を操作するために、外部からハウジングプレート５０内へ統合された操作装置５８と、操作装置５８の下方の切り替えキャビネット５９とを有している。切り替えキャビネット５９は、ここには詳しく図示されない制御装置、データ処理する手段及び電圧供給を有している。切り替えキャビネット５９は、継ぎ手６０によってハウジングプレート４６と４７の間で分割可能に形成されており、すなわち旋回可能な部分６１が制御部３８の固定の部分６２に対して旋回することができ、それによって制御部３８が開放可能であり、旋回可能な部分６１にも固定の部分６２にも接近することができる。したがって制御部３８は、固定の部分６２のみによってフレーム支持体１９に、もしくはフレームプロフィール２０に固定的に取り付けられている。
【図１】
2019502128.tif 000003
【図２】
2019502128.tif 000004
【図３】
2019502128.tif 000005
【図４】
2019502128.tif 000006
【図５】
2019502128.tif 000007
【図６】
2019502128.tif 000008
【図７】
2019502128.tif 000009
【図８】
2019502128.tif 000010
【図９】
2019502128.tif 000011
【図１０】
2019502128.tif 000012
【図１１】
2019502128.tif 000013
【国際調査報告】
2019502128.tif 000014
2019502128.tif 000015
2019502128.tif 000016
2019502128.tif 000017